(57)【特許請求の範囲】
【請求項１】
電子機器の操作パネルに備えられた表示部に表示された画面を参照しながら作業を行う作業者の作業内容を記録する作業記録装置であって、
前記作業者を特定可能な画像、及び、前記作業者が行う作業内容を特定可能な画像を生成する画像生成部と、
前記画像生成部が生成した画像に対応する画像情報を記憶する画像記憶部と、
前記画像生成部が生成した画像に対応する画像情報を取得し、前記画像記憶部に記録する画像取得部と、
前記画面に表示された文字のサイズが、予め設定された閾値以下であるか否かを判定する判定部と、
前記判定部が前記文字のサイズが前記予め設定された閾値以下であると判定したときに、前記文字が視認可能な画像を生成するように前記画像生成部をズームアップさせるズーム変更部と
を備え、
前記ズーム変更部は、前記判定部が前記文字のサイズが前記予め設定された閾値以下ではないと判定したときに、前記画像生成部をズームダウンさせ、
前記画像生成部は、前記作業者の手を含む画像を生成し、
前記作業者の手の画像は、前記作業者を特定可能に形成され、
前記作業者は、前記作業者の手に手袋を装着して前記作業を行い、
前記手袋は、前記作業者を識別可能に構成されており、
前記手袋には、前記作業者を識別可能な色、模様、及び、記号の少なくとも１つが形成されており、
前記作業者が行う作業内容を特定可能な画像は、前記作業者からの操作を受け付ける前記操作パネルの画像と、前記作業者の画像とを含み、
前記操作パネルの画像は、前記表示部の画像と、前記操作パネルに備えられたキーの画像とを含み、
前記作業者の画像は、前記手袋を装着した前記作業者の手を含む画像を含み、
前記判定部は、前記表示部に前記画面が新たに表示される度に、前記画面に表示される最小の文字のサイズを示すサイズ情報を示す信号を前記電子機器から受信して、前記文字のサイズが前記予め設定された閾値以下であるか否かを判定し、
前記表示部に表示される前記画面が変更されない場合、前記判定部は、前記文字のサイズが前記予め設定された閾値以下であるか否かを判定せず、前記ズーム変更部は、前記画像生成部のズームを変更しない、作業記録装置。
【請求項２】
前記作業者が行う作業は、前記電子機器を製造する作業である、請求項１に記載の作業記録装置。
【発明の詳細な説明】
【技術分野】
【０００１】
本発明は、作業者の作業内容を記録する作業記録装置に関する。
【背景技術】
【０００２】
従来、作業者の作業内容を記録する種々の技術が知られている。例えば、電子機器を製造する工程において、作業内容を製品情報として電子機器の内部に記録する電子機器の生産方法が開示されている（特許文献１参照）。
【０００３】
具体的には、特許文献１に記載の電子機器の生産方法は、初段工程で操作パネルを電子機器に組付ける。そして、電子機器が各工程に順次移送されながら、その電子機器に対して作業を行う。作業者が各工程での作業内容をその電子機器の操作パネルから入力し、その操作パネル内部に記録する。
【０００４】
特許文献１には、生産工程を構成している各工程で行われる作業内容を電子機器内部に効率的に記録することができると記載されている。
【先行技術文献】
【特許文献】
【０００５】
【特許文献１】特開２００４−１３９３５４号公報
【発明の概要】
【発明が解決しようとする課題】
【０００６】
しかしながら、特許文献１に記載の電子機器の生産方法では、作業者が作業内容を操作パネルから入力する必要があり、作業者の負担が増大する。また、作業者が操作パネルから間違った作業内容を入力する恐れもある。更に、作業内容が不適切であった場合に、その作業を行った作業者を特定することが困難である。
【０００７】
本発明に係る作業記録装置は、上記課題に鑑みてなされたものであって、作業者の負担を増大することなく、作業者及び作業内容を記録することを目的としている。
【課題を解決するための手段】
【０００８】
本発明に係る作業記録装置は、電子機器の表示部に表示された画面を参照しながら作業を行う作業者の作業内容を記録する作業記録装置であって、画像生成部、画像記憶部、画像取得部、判定部、及び、ズーム変更部を備える。前記画像生成部は、前記作業者を特定可能な画像、及び、前記作業者が行う作業内容を特定可能な画像を生成する。前記画像記憶部は、前記画像生成部が生成した画像に対応する画像情報を記憶する。前記画像取得部は、前記画像生成部が生成した画像に対応する画像情報を取得し、前記画像記憶部に記録する。前記判定部は、前記画面に表示された文字のサイズが、予め設定された閾値以下であるか否かを判定する。前記ズーム変更部は、前記判定部が前記文字のサイズが予め設定された閾値以下であると判定したときに、前記文字が視認可能な画像を生成するように前記画像生成部をズームアップさせる。
【発明の効果】
【０００９】
本発明に係る作業記録装置によれば、作業者の負担を増大することなく、作業者及び作業内容を記録することができる。
【図面の簡単な説明】
【００１０】
【図１】本発明の実施形態に係る作業記録装置の全体構成を示す図である。
【図２】図１に示す作業記録装置の構成を示す図である。
【図３】図１に示す複合機の外観を示す斜視図である。
【図４】図２に示す作業記録装置の構成を示すブロック図である。
【図５】図４に示す再生部が再生した画像を示す画面図である。（ａ）は、ズームアップする前の画像を示す画面図である。（ｂ）は、ズームアップした後の画像を示す画面図である。
【図６】図４に示す作業記録装置の動作を示すフローチャートである。
【発明を実施するための形態】
【００１１】
以下、本発明の実施形態について、図面（図１〜図６）を参照しながら説明する。なお、図中、同一又は相当部分については同一の参照符号を付して説明を繰り返さない。
【００１２】
まず、図１を参照して、本発明の実施形態に係る作業記録装置１００について説明する。図１は、本発明の実施形態に係る作業記録装置１００の全体構成を示す図である。図１に示すように、作業記録装置１００は、デジタルビデオカメラ１、及び、作業記録装置本体２を備えている。また、作業記録装置１００は、複合機（ＭＦＰ：Ｍｕｌｔｉ‐Ｆｕｎｃｔｉｏｎ  Ｐｅｒｉｐｈｅｒａｌ）３を生産する生産工程における作業内容を記録する。複合機３は、「電子機器」の一例に相当する。更に、複合機３を生産する生産工程は、３つの工程（工程Ａ、工程Ｂ、工程Ｃ）を含んでいる。３つの工程は、矢印ＡＲで示すように、工程Ａ、工程Ｂ、工程Ｃの順に行われる。３つの工程には、それぞれ、３つの工程での作業を行う作業者５（５Ａ、５Ｂ、５Ｃ）及びノートＰＣ（Ｐｅｒｓｏｎａｌ  Ｃｏｍｐｕｔｅｒ）４（４Ａ、４Ｂ、４Ｃ）が配置されている。ノートＰＣ４は、複合機３に接続され、作業指示情報の表示、及び、作業実績情報の収集を行う。
【００１３】
具体的には、工程Ａには、複合機３ＡとノートＰＣ４Ａとが配置され、作業者５Ａが複合機３Ａの製造を行っている。ノートＰＣ４Ａは、複合機３Ａに接続され、作業者５Ａに対する作業指示情報の表示、及び、作業者５Ａの作業実績情報の収集を行う。工程Ｂには、複合機３ＢとノートＰＣ４Ｂとが配置され、作業者５Ｂが複合機３Ｂの製造を行っている。ノートＰＣ４Ｂは、複合機３Ｂに接続され、作業者５Ｂに対する作業指示情報の表示、及び、作業者５Ｂの作業実績情報の収集を行う。工程Ｃには、複合機３ＣとノートＰＣ４Ｃとが配置され、作業者５Ｃが複合機３Ｃの製造を行っている。ノートＰＣ４Ｃは、複合機３Ｃに接続され、作業者５Ｃに対する作業指示情報の表示、及び、作業者５Ｃの作業実績情報の収集を行う。
【００１４】
デジタルビデオカメラ１を、以下、便宜上、「ビデオカメラ１」と記載する。ビデオカメラ１は、３つのビデオカメラ１Ａ、１Ｂ、１Ｃを含んでいる。ビデオカメラ１Ａは、工程Ａにおける作業者５Ａ及び作業者５Ａの作業内容を撮影する。ビデオカメラ１Ｂは、工程Ｂにおける作業者５Ｂ及び作業者５Ｂの作業内容を撮影する。ビデオカメラ１Ｃは、工程Ｃにおける作業者５Ｃ及び作業者５Ｃの作業内容を撮影する。ビデオカメラ１は、「画像生成部」の一例に相当する。
【００１５】
具体的には、ビデオカメラ１Ａは、作業者５Ａを特定可能な画像、及び、作業者５Ａが行う作業内容を特定可能な画像を生成する。ビデオカメラ１Ｂは、作業者５Ｂを特定可能な画像、及び、作業者５Ｂが行う作業内容を特定可能な画像を生成する。ビデオカメラ１Ｃは、作業者５Ｃを特定可能な画像、及び、作業者５Ｃが行う作業内容を特定可能な画像を生成する。
【００１６】
なお、「作業者５を特定可能な画像」については、図５を参照して後述する。「作業内容を特定可能な画像」については、図３を参照して後述する。
【００１７】
次に、図２を参照して、作業記録装置１００の構成について説明する。作業記録装置１００は、ビデオカメラ１（１Ａ、１Ｂ、１Ｃ）、及び、作業記録装置本体２を備える。作業記録装置本体２は、パーソナルコンピューター２１及びＨＤＤ（Ｈａｒｄ  Ｄｉｓｋ  Ｄｒｉｖｅ）２２を備えている。
【００１８】
パーソナルコンピューター２１は、操作受付部２１ａ及びＬＣＤ２１ｂを備え、ビデオカメラ１（１Ａ、１Ｂ、１Ｃ）及びＨＤＤ２２の動作を制御する。操作受付部２１ａは、ユーザーからの操作を受け付ける。また、操作受付部２１ａは、例えば、キーボード及びマウスを備える。ＬＣＤ２１ｂは、種々の情報を表示する。ＬＣＤ２１ｂは、例えば、ビデオカメラ１によって生成された画像を表示する。
【００１９】
ＨＤＤ２２は、ビデオカメラ１（１Ａ、１Ｂ、１Ｃ）によって生成された画像に対応する画像情報を記憶する。また、パーソナルコンピューター２１は、複合機３（３Ａ、３Ｂ、３Ｃ）と通信可能に接続されている。具体的には、パーソナルコンピューター２１は、Ｗｉ−Ｆｉのような無線通信で、複合機３（３Ａ、３Ｂ、３Ｃ）と通信可能に接続されている。
【００２０】
次に、図３を参照して、複合機３の構成について説明する。図３は、図１に示す複合機３（３Ａ、３Ｂ、３Ｃ）の外観を示す斜視図である。複合機３は、操作パネル３１を備える。操作パネル３１は、作業者５からの操作を受け付ける。操作パネル３１は、タッチパネル３１１及びキー３１２を備える。タッチパネル３１１は、ＬＣＤ（Ｌｉｑｕｉｄ  Ｃｒｙｓｔａｌ  Ｄｉｓｐｌａｙ）を備え、ＬＣＤに種々の情報を表示する。また、タッチパネル３１１は、ＬＣＤに種々のボタン、アイコン、及び、ソフトウェアキーボードのようなオブジェクトを表示し、作業者５からの操作を受け付ける。キー３１２は、複合機３に対して種々の指示を行う場合に、作業者５が押下する。例えば、キー３１２は、テンキーを含む。テンキーは、コピー枚数のような数字を入力する場合に、作業者５が押下する。
【００２１】
本実施形態では、作業者５は、タッチパネル３１１に表示された画面を参照しながら、複合機３の製造作業を行う。具体的には、例えば、作業者５は、タッチパネル３１１に表示されたオブジェクトをタッチすることによって、複合機３の各種設定作業のような作業を行う。
【００２２】
換言すれば、ビデオカメラ１が生成する「作業者５が行う作業内容を特定可能な画像」とは、本実施形態では、本実施形態では、複合機３の操作パネル３１（主に、タッチパネル３１１）及び作業者５の手を含む画像である。すなわち、操作パネル３１（主に、タッチパネル３１１）及び作業者５の手を含む画像によって、作業者５が行っている作業内容を特定することができる。
【００２３】
また、複合機３は、文字のサイズＳＣを示す情報をパーソナルコンピューター２１に送信する。具体的には、複合機３は、タッチパネル３１１に表示された画面を変更する度に、文字のサイズＳＣを示す情報をパーソナルコンピューター２１に送信する。「文字のサイズＳＣ」とは、タッチパネル３１１に新たに表示される画面に含まれる文字のうち、最小の文字のサイズである。
【００２４】
次に、図４を参照して、作業記録装置１００の構成について説明する。パーソナルコンピューター２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及び、ＲＡＭ（Ｒａｎｄｏｍ  Ａｃｃｅｓｓ  Ｍｅｍｏｒｙ）を備える。ＣＰＵは、ＲＯＭに格納された制御プログラムを実行することによって、各種機能部として機能する。ＨＤＤ２２は、ＣＰＵがＲＯＭに格納された制御プログラムを実行することによって、各種機能部として機能する。また、ＲＡＭは、ＣＰＵが制御プログラムを実行する際の作業領域として用いられる。パーソナルコンピューター２１は、判定部２１１、ズーム変更部２１２、画像取得部２１３、及び、再生部２１４を備える。また、ＨＤＤ２２は、画像記憶部２２１を備える。
【００２５】
画像記憶部２２１は、ビデオカメラ１（１Ａ、１Ｂ、１Ｃ）が生成した画像に対応する画像情報を記憶する。画像情報は、画像取得部２１３によって画像記憶部２２１に記録される。また、画像情報は、再生部２１４によって画像記憶部２２１から読み出される。
【００２６】
判定部２１１は、タッチパネル３１１の画面に表示された文字のサイズＳＣが、予め設定された閾値ＳＳ以下であるか否かを判定する。具体的には、判定部２１１は、複合機３からタッチパネル３１１に表示される画面に含まれる文字のサイズＳＣを受信する。そして、判定部２１１は、文字のサイズＳＣが閾値ＳＳ以下であるか否かを判定する。閾値ＳＳは、例えば、１２ポイントである。
【００２７】
ズーム変更部２１２は、文字のサイズＳＣが閾値ＳＳ以下であると判定部２１１が判定したときに、文字が視認可能な画像を生成するようにビデオカメラ１をズームアップさせる。具体的には、ズーム変更部２１２は、タッチパネル３１１の画面に表示された文字が視認可能な画像を生成するようにビデオカメラ１をズームアップさせる。
【００２８】
画像取得部２１３は、ビデオカメラ１が生成した画像に対応する画像情報を取得し、画像記憶部２２１に記録する。具体的には、画像取得部２１３は、ビデオカメラ１が生成した動画像に対応する動画像情報を取得し、画像記憶部２２１に記録する。
【００２９】
再生部２１４は、ユーザーからの操作に基づき、画像記憶部２２１に格納された動画像を読み出して、再生する。また、再生部２１４は、再生した動画像をパーソナルコンピューター２１のＬＣＤ２１ｂに表示する。
【００３０】
次に、図５を参照して、再生部２１４が再生した画像について説明する。図５は、再生部２１４が再生し、パーソナルコンピューター２１のＬＣＤ２１ｂに表示した画像を示す再生画面の画面図である。図５（ａ）は、ズームアップする前の画像を示す画面図である。図５（ｂ）は、ズームアップした後の画像を示す画面図である。
【００３１】
図５（ａ）に示すように、再生画面６００は、操作パネル画像６０１、タッチパネル画像６０２、キー画像６０３、及び、作業者画像６０４を含む。操作パネル画像６０１は、複合機３の操作パネル３１の画像を示す。タッチパネル画像６０２は、操作パネル３１に配置されたタッチパネル３１１の画像を示す。キー画像６０３は、操作パネル３１に配置された種々のキー３１２の画像を示す。作業者画像６０４は、作業者５の画像を示す。
【００３２】
タッチパネル画像６０２は、ソフトウェアキーボード画像６０２ａ及び文字画像６０２ｂを含む。ソフトウェアキーボード画像６０２ａは、ソフトウェアキーボードの画像を示す。ソフトウェアキーボードは、タッチパネル３１１のＬＣＤに表示されたキーボードであって、作業者５からの入力を受け付ける。文字画像６０２ｂは、作業者５がソフトウェアキーボードを介して入力した文字を示す。
【００３３】
図５（ａ）に示すように、再生画面６００には、作業者画像６０４として、作業者５の頭部及び両腕を含む画像が表示される。また、操作パネル画像６０１として操作パネル３１の全体の画像が表示される。よって、再生画面６００を表示することによって、作業者５が行う作業内容の全体を確認することができる。
【００３４】
図５（ｂ）に示すように、再生画面６１０は、操作パネル画像６１１、タッチパネル画像６１２、キー画像６１３、及び、作業者画像６１４を含む。また、タッチパネル画像６１２は、ソフトウェアキーボード画像６１２ａ及び文字画像６１２ｂを含む。更に、作業者画像６１４は、手袋画像６１５、及び、シール画像６１６を含む。手袋画像６１５は、作業者５が両手に装着する手袋を示す。シール画像６１６は、作業者５が両手に装着する手袋に貼付されたシールを示す。シールは、手袋において、作業者５の甲の位置に貼付される。また、シールには、作業者５を識別可能な色（例えば、青色）が付与されている。シール画像６１６は、「識別画像」の一例に相当する。
【００３５】
図５に示すように、「作業者５を特定可能な画像」とは、本実施形態では、作業者５の手を含む画像であって、作業者５の手の画像は、作業者５を特定可能に形成される。具体的には、作業者５は、手袋を装着して作業を行い、手袋は、作業者を識別可能に構成されている。更に具体的には、手袋には、作業者５を識別可能な色、模様、及び、記号の少なくとも１つが形成されている。本実施形態では、図５（ｂ）に示すように、手袋に作業者５を識別可能な色のシールが貼付されている。
【００３６】
また、図５（ｂ）に示すように、再生画面６１０は、タッチパネル画像６１２、及び、作業者画像６１４を含む。タッチパネル画像６１２は、ソフトウェアキーボード画像６１２ａ及び文字画像６１２ｂを含む。作業者画像６１４は、作業者５の手の画像を示す。また、タッチパネル画像６１２は、タッチパネル３１１のＬＣＤに表示されたソフトウェアキーボードの画像及び文字の画像を示す。タッチパネル画像６１２及び作業者画像６１４は、図５（ａ）のタッチパネル画像６０２及び作業者画像６０４と比較してズームアップされた画像である。よって、再生画面６１０を表示することによって、タッチパネル画像６０２に表示されている内容及び作業者５の手の動きを詳細に確認することができる。
【００３７】
次に、図６を参照して、作業記録装置１００の動作について説明する。図６は、作業記録装置１００の動作を示すフローチャートである。まず、判定部２１１が、複合機３から文字のサイズＳＣを取得したか否かを判定する（ステップＳ１０１）。文字のサイズＳＣを取得していないと判定した場合（ステップＳ１０１でＮＯ）には、処理がステップＳ１０９に進む。文字のサイズＳＣを取得したと判定した場合（ステップＳ１０１でＹＥＳ）には、処理がステップＳ１０３に進む。
【００３８】
そして、判定部２１１が、ステップＳ１０１で取得した文字のサイズＳＣが、閾値ＳＳ以下であるか否かを判定する（ステップＳ１０３）。文字のサイズＳＣが閾値ＳＳ以下ではないと判定した場合（ステップＳ１０３でＮＯ）には、処理がステップＳ１０７に進む。文字のサイズＳＣが閾値ＳＳ以下であると判定した場合（ステップＳ１０３でＹＥＳ）には、処理がステップＳ１０５に進む。そして、ズーム変更部２１２がビデオカメラ１をズームアップさせる（ステップＳ１０５）。次に、処理がステップＳ１０９に進む。
【００３９】
ステップＳ１０３でＮＯの場合には、ズーム変更部２１２がビデオカメラ１をズームダウンさせる（ステップＳ１０７）。そして、処理がステップＳ１０９に進む。
【００４０】
ステップＳ１０１でＮＯの場合、ステップＳ１０５の処理が終了した場合、又は、ステップＳ１０７の処理が終了した場合には、以下の処理を行う。すなわち、ビデオカメラ１が作業者５を特定可能な画像、及び、作業者５が行う作業内容を特定可能な画像を生成する（ステップＳ１０９）。次に、画像取得部２１３が、ビデオカメラ１が生成した画像に対応する画像情報を取得する（ステップＳ１１１）。そして、画像取得部２１３が、ステップＳ１１１で取得した画像情報を画像記憶部２２１に記録して（ステップＳ１１３）、処理がステップＳ１０１に戻る。
【００４１】
図１〜図６を参照して説明したように、ビデオカメラ１が、作業者５を特定可能な画像、及び、作業者５が行う作業内容を特定可能な画像を生成する。また、画像取得部２１３が、ビデオカメラ１が生成した画像を取得し、画像記憶部２２１に記録する。よって、作業者５の負担を増大することなく、作業者５及び作業内容を記録することができる。更に、複合機３のタッチパネル３１１の画面に表示された文字のサイズＳＣが予め設定された閾値ＳＳ以下であると判定したときに、ビデオカメラ１を文字が視認可能な画像を生成させるようにズームアップさせる。よって、画面に表示された文字のサイズが小さい場合であっても、文字が視認可能な画像を生成するこができる。したがって、作業者５の負担を増大することなく、作業者５及び作業内容を適正に記録することができる。
【００４２】
また、作業者５が行う作業は、複合機３を製造する作業である。よって、画像記憶部２２１に記録された画像を再生することによって、複合機３の製造過程で発生した作業ミスの内容及び作業者５を特定することができる。
【００４３】
更に、作業者５の手を含む画像を生成し、作業者５の手の画像は、作業者５を特定可能に形成される。例えば、手袋に貼付されたシールの色で作業者を特定する。一方、作業者５は、主に手を動かして作業を行う。よって、作業者５及び作業内容を特定する１つの画像を生成することができる。換言すれば、１台のビデオカメラ１で、作業者５及び作業内容を特定する画像を生成することができる。
【００４４】
また、作業者５は、手袋を装着して作業を行い、手袋は、作業者を識別可能に構成されている。よって、手袋の画像によって作業者を特定することができる。したがって、作業者５の作業を妨げることなく、作業者５を特定可能な画像を記録することができる。
【００４５】
更に、手袋には、作業者５を識別可能な色、模様、及び、記号の少なくとも１つ（本実施形態では、作業者５を識別可能な色のシール）が形成されている。よって、作業者５を識別可能な画像を容易に記録することができる。
【００４６】
また、判定部２１１は、タッチパネル３１１に表示される文字のサイズＳＣを示すサイズ情報を複合機３から取得し、文字のサイズＳＣが閾値ＳＳ以下であるか否かを判定する。よって、文字のサイズＳＣが閾値ＳＳ以下であるか否かを極めて容易に判定することができる。
【００４７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（８））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００４８】
（１）図１を参照して説明したように、各工程に１台のビデオカメラ１が配置されている形態について説明したが、これに限定されない。各工程に２台以上のビデオカメラ１が配置されている形態では、作業者５及び複合機３を種々の角度から撮影することができる。よって、作業者５の作業内容を更に正確に判定することができる。
【００４９】
（２）図１を参照して説明したように、複合機３を製造する形態について説明したが、これに限定されない。表示部を備える電子機器を製造する形態であればよい。例えば、ＬＣＤを備えるプリンターを製造する形態でもよい。また、例えば、ＬＣＤを備えるＤＶＤ（Ｄｉｇｉｔａｌ  Ｖｅｒｓａｔｉｌｅ  Ｄｉｓｃ）プレイヤーを製造する形態でもよい。
【００５０】
（３）図４を参照して説明したように、複合機３がパーソナルコンピューター２１の判定部２１１に文字のサイズＳＣを示すサイズ情報を送信する形態について説明したが、これに限定されない。判定部２１１が、タッチパネル３１１に表示する画面を示す画面情報を取得し、取得した画面情報に基づいて文字のサイズＳＣを求めてもよい。この形態では、判定部２１１は、タッチパネル３１１に表示される画面を示す画面情報を複合機３から取得し、取得した画像情報に基づいて、文字のサイズＳＣが閾値ＳＳ以下であるか否かを判定する。よって、文字のサイズＳＣが閾値ＳＳ以下であるか否かを判定することができる。
【００５１】
（４）図５を参照して説明したように、作業者５を識別可能な色のシールを手袋に貼付する形態について説明したが、これに限定されない。手袋には、作業者５を識別可能な色、模様、及び、記号の少なくとも１つが形成されていればよい。例えば、手袋に、作業者５を識別可能な記号が印刷されていてもよい。具体的には、例えば、○、△、□のような記号が手袋に印刷されていてもよい。
【００５２】
（５）図５を参照して説明したように、作業者５を識別可能な色のシールを手袋に貼付する形態について説明したが、これに限定されない。作業者５の手の画像は、手の甲の画像を含み、手の甲の画像は、作業者５を識別可能な識別画像を含んでもよい。具体的には、作業者５を識別可能な識別画像が、作業者５の手の甲に、識別コード（例えば、ＱＲコード（登録商標））が印刷されたシールを貼付する形態でもよい。
【００５３】
この形態では、作業者５の手の画像は、手の甲の画像を含み、作業者５の手の甲の画像は、作業者５を識別可能な識別画像を含む。一方、作業中の作業者５の手の甲は上方を向いていることが多い。よって、作業者５及び作業内容を特定する１つの画像を生成することができる。換言すれば、１台のビデオカメラ１で、作業者５及び作業内容を特定する画像を生成することができる。
【００５４】
また、識別画像は、作業者の手の甲に付された識別コードの画像である。よって、例えば、ＱＲコードが印刷されたシールを、作業者５の手の甲に貼付する。そして、ビデオカメラ１が、ＱＲコードを含む画像を生成することによって、作業者５を特定することができる。
【００５５】
（６）図６を参照して説明したように、文字のサイズＳＣが閾値ＳＳ以下である場合にビデオカメラ１をズームアップする形態について説明したが、これに限定されない。ビデオカメラ１のズームアップを複数の倍率に設定してもよい。例えば、文字のサイズＳＣが第１閾値ＳＳ１以下である場合に第１倍率にズームアップする。そして、文字のサイズＳＣが第２閾値ＳＳ２以下である場合に第２倍率にズームアップする。なお、第２閾値ＳＳ２は、第１閾値ＳＳ１より小さい。例えば、第１閾値ＳＳ１は１２ポイントであり、第２閾値ＳＳ２は８ポイントである。また、第２倍率は、第１倍率より大きい。例えば、第１倍率は、５倍であり、第２倍率は、１０倍である。
【００５６】
ズームアップの倍率が２つである形態について説明したが、ズームアップの倍率が３つ以上でもよい。ズームアップの倍率の個数が多い程、ズームアップの倍率を適正に設定することができる。
【００５７】
（７）図４及び図５を参照して説明したように、再生部２１４が画像記憶部２２１に格納された画像情報を再生する形態について説明したが、これに限定されない。再生部２１４が更にノートＰＣ４に格納された作業実績情報を再生する形態でもよい。この形態では、ノートＰＣ４に格納された作業実績情報と、画像記憶部２２１に格納された画像情報とを参照して、作業者及び作業内容を確認することができる。したがって、作業者及び作業内容を更に正確に確認することができる。
【００５８】
（８）図１〜図６を参照して説明したように、ビデオカメラ１が複合機３のタッチパネル３１１を含む画像を生成する形態について説明したが、これに限定されない。例えば、作業者５がノートＰＣ４を用いて作業を行う場合には、ビデオカメラ１は、ノートＰＣ４のＬＣＤを含む画像を生成する形態でもよい。この形態では、パーソナルコンピューター２１は、ノートＰＣ４と通信可能に接続されていることが好ましい。また、判定部２１１は、ノートＰＣ４のＬＣＤに表示された文字のサイズＳＣを示すサイズ情報を取得し、サイズＳＣが閾値ＳＳ以下であるか否かを判定する。そして、サイズＳＣが閾値ＳＳ以下であると判定部２１１が判定した場合に、ズーム変更部２１２は、ビデオカメラ１をズームアップさせる。
【産業上の利用可能性】
【００５９】
本発明は、作業者の作業内容を記録する作業記録装置の分野に利用することができる。
【符号の説明】
【００６０】
１００    作業記録装置
１（１Ａ、１Ｂ、１Ｃ）    デジタルビデオカメラ（画像生成部）
２    作業記録装置本体
２１    パーソナルコンピューター
２１ａ    操作受付部
２１ｂ    ＬＣＤ
２１１    判定部
２１２    ズーム変更部
２１３    画像取得部
２１４    再生部
２２    ＨＤＤ
２２１    画像記憶部
３（３Ａ、３Ｂ、３Ｃ）    複合機（電子機器）
３１    操作パネル
３１１    タッチパネル
３１２    キー
４（４Ａ、４Ｂ、４Ｃ）    ノートＰＣ
５（５Ａ、５Ｂ、５Ｃ）    作業者
【図１】
0006471652.tif 000002
【図２】
0006471652.tif 000003
【図３】
0006471652.tif 000004
【図４】
0006471652.tif 000005
【図５】
0006471652.tif 000006
【図６】
0006471652.tif 000007